(57)【要約】【課題】  簡素な構成で、発振ループ内の振幅制御を高精度で実現し発振起動時間を短縮する発振回路、物理量トランスデューサ及び振動ジャイロセンサを提供する。【解決手段】  発振回路１０は、発振ループ内の発振振幅を制御するためのゲインコントロールアンプ２０と、発振振幅に応じて前記ゲインコントロールアンプのゲインを調整するための制御電圧を出力するゲイン制御回路３０とを含む。ゲイン制御回路３０は、発振振幅を監視して発振ループ内の発振が定常状態か起動過程かを判別し、発振ループ内の発振が起動過程と判別されたとき、発振振幅にかかわらず所与の定電圧を制御電圧として出力し、前記発振ループ内の発振が定常状態と判別されたとき、発振振幅に応じたゲインを決定するための制御電圧を出力する。【選択図】      図２
2007218793.tif 000002
【特許請求の範囲】
【請求項１】
発振ループ内の発振振幅を制御するためのゲインコントロールアンプと、
前記発振振幅に応じて前記ゲインコントロールアンプのゲインを調整するための制御電圧を出力するゲイン制御回路とを含み、
前記ゲイン制御回路は、
前記発振振幅を監視して前記発振ループ内の発振が定常状態か起動過程かを判別し、
前記発振ループ内の発振が起動過程と判別されたとき、前記発振振幅にかかわらず所与の定電圧を前記制御電圧として出力し、
前記発振ループ内の発振が定常状態と判別されたとき、前記発振振幅に応じたゲインを決定するための制御電圧を出力することを特徴とする発振回路。
【請求項２】
請求項１において、
前記定電圧が、前記発振の起動過程において前記発振ループ内のゲインを上げるような電圧であることを特徴とする発振回路。
【請求項３】
請求項１又は２において、
前記ゲイン制御回路が、
前記発振ループ内の信号を直流信号に変換するための整流回路と、
前記直流信号と所与の第１の基準信号との差分に応じて前記制御電圧を生成する差動アンプとを含むことを特徴とする発振回路。
【請求項４】
請求項１乃至３のいずれかにおいて、
前記ゲイン制御回路が、
前記発振ループ内の信号又は前記直流信号と所与の第２の基準信号とを比較することによって、前記発振ループ内の発振が定常状態か起動過程かを判別することを特徴とする発振回路。
【請求項５】
請求項１乃至４のいずれかにおいて、
前記発振ループ内の負性抵抗値をＲＮ、前記発振ループ内の負荷共振抵抗値をＲＬ、前記ゲインコントロールアンプのゲインをｋ、前記定常状態における前記ゲインコントロールアンプのゲインをｋ０とした場合に、
前記ゲイン制御回路は、
前記ゲインコントロールアンプの入力電圧が基準電源電圧のとき、ｋ／ｋ０が｜ＲＮ／ＲＬ｜以上となるような定電圧を前記制御電圧として出力することを特徴とする発振回路。
【請求項６】
請求項１乃至４のいずれかにおいて、
前記発振ループ内の負性抵抗値をＲＮ、前記発振ループ内の負荷共振抵抗値をＲＬ、｜ＲＮ／ＲＬ｜の最大値をＭ、前記定常発振状態における前記制御電圧をＶｃ０とした場合に、
前記定電圧が、Ｖｃ０×（２−Ｍ）であることを特徴とする発振回路。
【請求項７】
請求項５又は６において、
｜ＲＮ／ＲＬ｜の最大値Ｍが、５以上であることを特徴とする発振回路。
【請求項８】
請求項１乃至７のいずれかにおいて、
共振子と、
前記共振子からの電流を電圧に変換し、該電圧を前記ゲインコントロールアンプの入力電圧として出力する電流電圧変換器とを含むことを特徴とする発振回路。
【請求項９】
請求項８において、
前記共振子が、
水晶振動子であることを特徴とする発振回路。
【請求項１０】
請求項１乃至９のいずれか記載の発振回路を含むことを特徴とする物理量トランスデューサ。
【請求項１１】
請求項７又は８記載の発振回路と、
前記共振子とカップリングさせた状態で、外的作用によって変化する物理量を出力する物理量出力回路とを含むことを特徴とする物理量トランスデューサ。
【請求項１２】
請求項７又は８記載の発振回路と、
前記共振子とカップリングさせた状態で、回転によって変化する電荷量を出力する物理量出力回路とを含むことを特徴とする振動ジャイロセンサ。
【発明の詳細な説明】
【技術分野】
【０００１】
本発明は、発振回路、物理量トランスデューサ及び振動ジャイロセンサに関する。
【背景技術】
【０００２】
ロボットや自動走行システム等の自律的動作を行う装置や、カーナビゲーションシステム、ＤＳＣ（Digital Still Camera）、ＤＶＣ（Digital Video Camera）、携帯電話機等の電子機器に、該電子機器の外的な要因で変化する物理量を検出するためのジャイロセンサ（広義には物理量トランスデューサ）が組み込まれている。このようなジャイロセンサは角速度を検出し、いわゆる手振れ補正やＧＰＳ自律航法に用いられる。
【０００３】
近年、ジャイロセンサの軽量小型化と共に高い検出精度も要求され、ジャイロセンサの１つとして圧電振動ジャイロセンサが注目されている。中でも、圧電材料として水晶が用いられる水晶圧電振動ジャイロセンサは、多くの装置への組み込み向けに最適なセンサとして期待が寄せられている。
【０００４】
振動ジャイロセンサは、回転によって発生するコリオリ力に対応した物理量を検出するものである。このような振動ジャイロセンサは、例えば引用文献１に開示されている。
【０００５】
図１３に、引用文献１に開示される振動ジャイロセンサの振動子の構造を模式的に示す。
【０００６】
この振動子は音叉型圧電振動子であり、音叉アーム９００、９０２の先端に該音叉アーム９００、９０２の平面とその平面が直交するように設けられた振動素子９１０、９１２を有する。音叉アーム９００の電極９２０に正弦波の電圧を与えると、逆圧電効果によって音叉アーム９００が振動を開始し、音叉振動により音叉アーム９０２も振動を開始する。このとき、音叉アーム９０２の圧電効果によって素子表面に発生する電荷は音叉アーム９００の印加電圧に比例する。この音叉アーム９０２に発生する電荷を検出し、これが一定振幅になるように音叉アーム９００に印加する正弦波の電圧を制御することで、安定した音叉振動を得ることができる。そのため、図１３に示す振動子は、該振動子と該振動子を駆動する回路とを含む発振ループ内に設けられ、振動子と該振動子を駆動する回路とにより発振回路として構成される。
【０００７】
このとき振動素子９１０、９１２は、図１３に示す方向に速度ｖで振動する。そして、図１３の検出軸９３０を中心に振動子が回転したとき、速度ｖの振動方向と直交する方向にコリオリ力が発生する。
【０００８】
図１４に、図１３の検出軸９３０を上から見た図を模式的に示す。
【０００９】
なお、図１４において図１３と同一部分には同一符号を付し、適宜説明を省略する。図１３において、検出軸９３０を中心に回転したときの角速度をΩ［ｄｐｓ（degree per second）］、振動素子９１０（振動素子９１２）の質量をｍとすると、振動素子９１０（振動素子９１２）に働くコリオリ力Ｆｃは、次式で表される。
【００１０】
Ｆｃ＝−２・ｍ・Ω・ｖ                    ・・・（１）
ここで、上述のように電極９２０に正弦波の電圧を印加するため、速度ｖは次式で表すことができる。なお次式において、音叉振動の振幅をａ、音叉振動の周期をω０とする。
【００１１】
ｖ＝ａ・ｓｉｎω０ｔ                      ・・・（２）
従って、（１）式に（２）式を代入すれば、コリオリ力Ｆｃは、次式のようになる。
【００１２】
Ｆｃ＝−２・ｍ・Ω・ａ・ｓｉｎω０ｔ      ・・・（３）
（３）式に示されるように、コリオリ力Ｆｃは、質量ｍに比例し、角速度Ωに比例し、速度ｖに比例することがわかる。
【００１３】
図１３の振動子の圧電材料として水晶が用いられた水晶振動子の場合、速度ｖに相当する振動周波数を安定させることができる。そのため、質量ｍにかかわらず角速度Ωを精度良く検出するためには、水晶振動子を駆動する回路が、いかに安定して振動子を振動させることができるかが重要になってくる。
【特許文献１】特開平３−２２６６２０号公報
【発明の開示】
【発明が解決しようとする課題】
【００１４】
図１５に、発振ループ内のゲインを制御するアンプの一般的な入出力特性を示す。
【００１５】
図１５に示すように、アンプの入出力特性は、主に電源制限の原因により、入力振幅がある程度の大きさになると出力振幅が飽和する非線形性を有する。一般的な圧電振動子発振回路は、上記の非線形性によって発振ループの発振振幅は、いずれ所定の振幅に収束する原理により発振振幅を一定に保っている。
【００１６】
その一方で、発振回路の電源電圧や温度の変動、発振回路を構成する素子の製造バラツキ等の理由で振幅が変動してしまうという問題がある。特に、コリオリ力を安定的に検出するためには発振ループ内の発振振幅を一定に制御する必要がある。そこで、発振回路は、ＡＧＣ（Auto Gain Control）機能を備えるゲインコントロールアンプを含む。
ところで、ジャイロセンサが組み込まれる電子機器の用途を考慮すると、低消費電力化の要求を満足させることが必要となる。そのため、発振回路を適宜停止させたりする必要があり、その一方で発振の起動時間はできるだけ短いことが望ましい。
【００１７】
一般的に上記ゲインコントロールアンプはゲイン感度特性が線形特性であるため、水晶振動子を用いた発振回路の場合には、起動時（発振起動時）に発振ループ内のゲインが十分得られないため、しばしば発振起動しない、または、発振起動時間が長くなるという課題があった。
【００１８】
その場合、発振の定常状態において所定の振幅制御を行うと共に発振起動時において十分大きな振幅となるように振幅制御を行う理想的なゲイン感度特性を有するゲインコントロールアンプの設計は困難である。
【００１９】
また、たとえ理想的なゲイン感度特性を有するゲインコントロールアンプを設計できたとしても、回路構成が大きくなってしまう。
【００２０】
以上のように、小型軽量化、低消費電力、且つ高精度が要求される、振動ジャイロセンサが組み込まれる電子機器に好適な発振回路の提供が望まれる。
【００２１】
本発明は、以上のような技術的課題に鑑みてなされたものであり、その目的とするところは、簡素な構成で、発振ループ内の振幅制御を高精度で実現しながら、発振の起動時間を短縮できる発振回路、これを用いた物理量トランスデューサ及び振動ジャイロセンサを提供することにある。
【課題を解決するための手段】
【００２２】
上記課題を解決するために本発明は、
発振ループ内の発振振幅を制御するためのゲインコントロールアンプと、
前記発振振幅に応じて前記ゲインコントロールアンプのゲインを調整するための制御電圧を出力するゲイン制御回路とを含み、
前記ゲイン制御回路は、
前記発振振幅を監視して前記発振ループ内の発振が定常状態か起動過程かを判別し、
前記発振ループ内の発振が起動過程と判別されたとき、前記発振振幅にかかわらず所与の定電圧を前記制御電圧として出力し、
前記発振ループ内の発振が定常状態と判別されたとき、前記発振振幅に応じたゲインを決定するための制御電圧を出力する発振回路に関係する。
【００２３】
本発明においては、発振ループ内の発振振幅を監視して、定常発振状態か発振起動過程かを判別し、発振起動過程であると判別されたときに、ゲインコントロールアンプのゲインを調整するための制御電圧として、所与の定電圧に切り替えるようにしている。そして、発振定常状態であると判別されたときには、発振振幅に応じた制御電圧を出力するように切り替えてゲインコントロールアンプのゲインを調整するようにしている。
【００２４】
こうすることで、発振起動過程において、発振振幅にかかわらず発振ループ内のゲインを調整することができるので、簡素な構成で、発振起動過程の時間を調整することができるようになる。しかも、発振定常状態においては、発振振幅に応じた制御電圧を出力することで、高精度で発振振幅を制御できることは変わらない。
【００２５】
また本発明に係る発振回路では、
前記定電圧が、前記発振の起動過程において前記発振ループ内のゲインを上げるような電圧であってもよい。
【００２６】
本発明によれば、更に、発振起動過程における発振ループ内のゲインを上げることができるので、簡素な構成で、発振ループ内の振幅制御を高精度で実現しながら、発振の起動時間を短縮できるようになる。
【００２７】
また本発明に係る発振回路では、
前記ゲイン制御回路が、
前記発振ループ内の信号を直流信号に変換するための整流回路と、
前記直流信号と所与の第１の基準信号との差分に応じて前記制御電圧を生成する差動アンプとを含むことができる。
【００２８】
本発明によれば、簡素な構成で、高精度で発振ループの振幅制御を行うための制御電圧を生成することができる。
【００２９】
また本発明に係る発振回路では、
前記ゲイン制御回路が、
前記発振ループ内の信号又は前記直流信号と所与の第２の基準信号とを比較することによって、前記発振ループ内の発振が定常状態か起動過程かを判別することができる。
【００３０】
本発明によれば、簡素な構成で、発振の定常状態（定常発振状態）か起動過程（発振起動過程）かを判別できるようになる。
【００３１】
また本発明に係る発振回路では、
前記発振ループ内の負性抵抗値をＲＮ、前記発振ループ内の負荷共振抵抗値をＲＬ、前記ゲインコントロールアンプのゲインをｋ、前記定常状態における前記ゲインコントロールアンプのゲインをｋ０とした場合に、
前記ゲイン制御回路は、
前記ゲインコントロールアンプの入力電圧が基準電源電圧のとき、ｋ／ｋ０が｜ＲＮ／ＲＬ｜以上となるような定電圧を前記制御電圧として出力することができる。
【００３２】
本発明によれば、定常発振時のループゲインに対して最大何倍のループゲインが得られるかという値である発振余裕度を大きくすることができるようになるので、経験則から、発振起動時の不具合が発生しやすい可能性を少なくすることができるようになる。
【００３３】
また本発明に係る発振回路では、
前記発振ループ内の負性抵抗値をＲＮ、前記発振ループ内の負荷共振抵抗値をＲＬ、｜ＲＮ／ＲＬ｜の最大値をＭ、前記定常発振状態における前記制御電圧をＶｃ０とした場合に、
前記定電圧が、Ｖｃ０×（２−Ｍ）であってもよい。
【００３４】
本発明によれば、定常発振時のループゲインに対して最大何倍のループゲインが得られるかという値である発振余裕度に応じて、発振起動時の不具合の発生する可能性を少なくできるようになる。
【００３５】
また本発明に係る発振回路では、
｜ＲＮ／ＲＬ｜の最大値Ｍが、５以上であってもよい。
【００３６】
本発明によれば、簡素な構成で、発振ループ内の振幅制御を高精度で実現しながら、発振の起動時間を短縮でき、経験則から、発振起動の不具合が発生する可能性をほとんどゼロにすることができる、信頼性の高い発振回路を提供できるようになる。
【００３７】
また本発明に係る発振回路では、
共振子と、
前記共振子からの電流を電圧に変換し、該電圧を前記ゲインコントロールアンプの入力電圧として出力する電流電圧変換器とを含むことができる。
【００３８】
本発明によれば、簡素な構成で、発振ループ内の振幅制御を高精度で実現しながら、発振の起動時間を短縮できる発振回路を提供できる。
【００３９】
また本発明に係る発振回路では、
前記共振子が、
水晶振動子であってもよい。
【００４０】
本発明によれば、周波数が安定し、簡素な構成で、発振ループ内の振幅制御を高精度で実現しながら、発振の起動時間を短縮できる発振回路を提供できる。
【００４１】
また本発明は、
上記のいずれか記載の発振回路を含む物理量トランスデューサに関係する。
【００４２】
また本発明は、
上記記載の発振回路と、
前記共振子とカップリングさせた状態で、外的作用によって変化する物理量を出力する物理量出力回路とを含む物理量トランスデューサに関係する。
【００４３】
上記のいずれかの発明によれば、簡素な構成で、発振ループ内の振幅制御を高精度で実現しながら、発振の起動時間を短縮できる発振回路が適用された物理量トランスデューサを提供できるようになる。
【００４４】
また本発明は、
上記記載の発振回路と、
前記共振子とカップリングさせた状態で、回転によって変化する電荷量を出力する物理量出力回路とを含む振動ジャイロセンサに関係する。
【００４５】
本発明によれば、簡素な構成で、発振ループ内の振幅制御を高精度で実現しながら、発振の起動時間を短縮できる発振回路が適用された振動ジャイロセンサを提供できるようになる。
【発明を実施するための最良の形態】
【００４６】
以下、本発明の実施の形態について図面を用いて詳細に説明する。なお、以下に説明する実施の形態は、特許請求の範囲に記載された本発明の内容を不当に限定するものではない。また以下で説明される構成のすべてが本発明の必須構成要件であるとは限らない。
【００４７】
１．  発振回路
図１に、本実施形態の発振回路の原理的な構成を示す。
【００４８】
本実施形態における発振回路１０は、発振ループ内の発振振幅を制御するためのゲインコントロールアンプ（Gain Control Amplifier：ＧＣＡ)２０と、発振ループ内の発振振幅に応じてゲインコントロールアンプ２０のゲインを調整するための制御電圧Ｖｃを出力するゲイン制御回路３０とを含む。そして、ゲイン制御回路３０は、発振ループの発振振幅を監視して該発振ループ内の発振が定常状態か起動過程かを判別することができるようになっている。ゲイン制御回路３０は、発振ループ内の発振が起動過程と判別されたとき、発振ループの発振振幅にかかわらず所与の定電圧を制御電圧Ｖｃとして出力する。ここで、定電圧は、発振の起動過程において発振ループ内のゲインを上げるような電圧である。
【００４９】
このとき、ゲインコントロールアンプ２０は、該制御電圧Ｖｃに対応したゲインでゲインコントロールアンプ２０の入力振幅を増幅する。一方、ゲイン制御回路３０は、発振ループ内の発振が定常状態と判別されたとき、発振ループの発振振幅に応じたゲインを決定するための制御電圧Ｖｃを出力する。この場合も、ゲインコントロールアンプ２０は、該制御電圧Ｖｃに対応したゲインでゲインコントロールアンプ２０の入力振幅を増幅する。
【００５０】
より具体的には、発振回路１０は、共振子４０と、電流電圧変換器５０とを含むことができる。共振子４０は、共振（振動）により発生した電荷を出力し、電流電圧変換器５０は、該電荷を電圧に変換して出力電圧Ｖ２として出力する。この場合、ゲインコントロールアンプ２０及びゲイン制御回路３０は、発振駆動回路ということができる。ゲイン制御回路３０は、電流電圧変換器５０の出力電圧Ｖ２に基づいて、発振ループの発振振幅を監視して該発振ループ内の発振が定常状態か起動過程かを判別することができるようになっている。
【００５１】
図２に、図１の発振回路の構成例の回路図を示す。
【００５２】
図２において、図１と同一部分には同一符号を付し、適宜説明を省略する。
【００５３】
図２の発振回路１０の発振ループ内には、ゲインコントロールアンプ２０と、共振子４０と、電流電圧変換器５０と、位相調整回路６０とを含む。共振子４０として水晶振動子が用いられるが、これに限定されるものではない。
【００５４】
図３に、図２の電流電圧変換器５０の構成例の回路図を示す。
【００５５】
電流電圧変換器５０は、演算増幅器５２と、帰還抵抗５４と、キャパシタ５６とを含む。演算増幅器５２の正転入力端子（＋端子）には基準電源電圧ＡＧＮＤ（演算増幅器等のアナログ回路の接地電源電圧）が供給され、演算増幅器５２の反転入力端子（−端子）には、共振子４０からの電流が入力される。帰還抵抗５４は、演算増幅器５２の反転入力端子と出力端子との間に接続される。キャパシタ５６もまた、帰還抵抗５４と並列に、演算増幅器５２の反転入力端子と出力端子との間に接続される。
【００５６】
このような電流電圧変換器５０では、演算増幅器５２に入力される電流は、帰還抵抗５４に流れる。従って、演算増幅器５２の出力は、帰還抵抗５４に流れる電流により定まる電圧となる。キャパシタ５６は、カットオフ周波数を定める。
【００５７】
また図２の発振ループにおいて位相調整回路６０が、電流電圧変換器５０の出力に設けられている。この位相調整回路６０は、公知のＬＰＦ（Low Pass Filter)やＨＰＦ（High Pass Filter）等の入力信号の位相に対して出力信号の位相をずらす回路により構成される。この位相調整回路６０によって、発振回路１０の発振ループ内の発振の位相条件を所望の発振周波数において成立させることができる。
【００５８】
発振回路１０の基準電源電圧ＡＧＮＤを基準とした位相調整回路６０の出力電圧Ｖ２が、ゲインコントロールアンプ２０及びゲイン制御回路３０に供給される。
【００５９】
図４に、図２のゲインコントロールアンプ２０の構成例の回路図を示す。
【００６０】
ゲインコントロールアンプ２０は、演算増幅器２２、帰還抵抗２４、可変抵抗２６を含む。演算増幅器２２の正転入力端子（＋端子）には、電圧Ｖ２が供給される。演算増幅器５２の反転入力端子（−端子）には、可変抵抗２６を介して基準電源電圧ＡＧＮＤが供給される。可変抵抗２６の抵抗値は、ゲイン制御回路３０からの制御電圧Ｖｃに基づいて変化するようになっている。帰還抵抗２４は、演算増幅器５２の反転入力端子と出力端子との間に接続される。
【００６１】
このようなゲインコントロールアンプ２０では、制御電圧Ｖｃにより可変抵抗２６の抵抗値が大きくなるとゲインコントロールアンプ２０の出力電圧が低くなり、制御電圧Ｖｃにより可変抵抗２６の抵抗値が小さくなるとゲインコントロールアンプ２０の出力電圧が高くなる。
【００６２】
図２において、ゲイン制御回路３０は、発振起動過程判別回路３２を含むことができる。図２では、発振起動過程判別回路３２がゲイン制御回路３０内に設けられているが、ゲイン制御回路３０の外部に設けてもよい。発振起動過程判別回路３２は、発振振幅（図２の電圧Ｖ２又は該電圧Ｖ２に対応した信号）を監視して発振ループ内の発振が定常状態か起動過程かを判別する。
【００６３】
そして、発振起動過程判別回路３２の判別結果に応じて、ゲイン制御回路３０は、所与の定電圧Ｖｃｓ又は発振ループの発振振幅に応じたゲインコントロールアンプ２０のゲインを設定するための電圧を、制御電圧Ｖｃとして出力する。
【００６４】
このようなゲイン制御回路３０は、全波整流回路（広義には整流回路）３４、差動アンプ３６、切替回路３８を含むことができる。
【００６５】
図５に、図２の全波整流回路３４の構成例の回路図を示す。
【００６６】
全波整流回路３４は、発振ループ内の信号である電圧Ｖ２を直流信号に変換する。より具体的には、全波整流回路３４は、電圧Ｖ２を全波整流することにより直流信号を得る。
【００６７】
このような全波整流回路３４は、演算増幅器８０、８２、抵抗回路８４、８６、スイッチ素子８８、９０、インバータ回路９２、ＬＰＦ３５を含む。演算増幅器８０の正転入力端子、演算増幅器８２の反転入力端子には、それぞれ基準電源電圧ＡＧＮＤが供給される。発振ループからの電圧Ｖ２は、抵抗回路８４を介して演算増幅器８０の反転入力端子に供給される。また、電圧Ｖ２は、演算増幅器８２の正転入力端子に供給される。
【００６８】
抵抗回路８６は、演算増幅器８０の反転入力端子と出力端子との間に接続される。全波整流回路３４の出力は、スイッチ素子９０を介して演算増幅器８０の出力端子に接続される。また全波整流回路３４の入力と出力との間にスイッチ素子８８が接続される。
【００６９】
スイッチ素子８８は、演算増幅器８２の出力信号ＣＫによりオンオフ制御される。またインバータ回路９２は、出力信号ＣＫを反転させた反転出力信号ＸＣＫを出力する。スイッチ素子９０は、反転出力信号ＸＣＫによりオンオフ制御される。
【００７０】
ＬＰＦ３５は、スイッチ素子８８又はスイッチ素子９０を介して出力された信号の低周波成分を抽出し、出力電圧Ｖ３として出力する。
【００７１】
全波整流回路３４が出力する直流電流を電圧Ｖ３とすると、電圧Ｖ２は正弦波信号最大振幅であるため、次式のように表すことができる。
【００７２】
Ｖ３＝Ｖ２×２／π          ・・・（４）
図２に戻って、ゲイン制御回路３０の差動アンプ３６は、直流信号である電圧Ｖ３と予め決められた所与の第１の基準電圧（基準信号）Ｖｒｅｆ１との差分に応じて制御電圧Ｖｃ１を生成する。より具体的には、電圧Ｖ３と第１の基準電圧Ｖｒｅｆ１との差が大きいほど、高い電位の電圧Ｖｃ１を生成する。
【００７３】
この電圧Ｖｃ１は、切替回路３８の一方の入力端子に入力される。また、切替回路３８の他方の入力端子には、予め決められた定電圧Ｖｃｓが入力される。切替回路３８は、発振起動過程判別回路３２の出力信号に基づいて、電圧Ｖｃ１又は定電圧Ｖｃｓを、制御電圧Ｖｃとして出力する。
【００７４】
発振起動過程判別回路３２は、コンパレータとして動作する演算増幅器９６を含む。演算増幅器９６の正転入力端子には、第２の基準電圧（基準信号）Ｖｒｅｆ２が供給される。演算増幅器９６の反転有力端子には、電圧Ｖ３が供給される。電圧Ｖ３が第２の基準電圧Ｖｒｅｆ２より高電位のとき、切替回路３８は、電圧Ｖｃ１を制御電圧Ｖｃとして出力する。電圧Ｖ３が第２の基準電圧Ｖｒｅｆ２と同電位又は第２の基準電圧Ｖｒｅｆ２より低電位のとき、切替回路３８は、電圧Ｖｃｓを制御電圧Ｖｃとして出力する。
【００７５】
こうして出力された制御電圧Ｖｃにより、ゲインが調整されたゲインコントロールアンプ２０の出力が、出力電圧Ｖ１として出力される。
【００７６】
以上のように構成することで、本実施形態によれば、発振の起動過程において定電圧で発振ループ内のゲインを上げることができ、安定した発振制御を行う発振回路の発振の起動時間を短縮できるようになる。
【００７７】
また、本実施形態では、以下に示すように定電圧Ｖｃｓを決めることで、十分な発振余裕度を維持しながら、発振起動不具合を生じさせることなく安定した発振起動を実現させることができるようになる。
そこで、まず本実施形態の比較例との対比において、本実施形態における定電圧Ｖｃｓについて説明する。
【００７８】
図６に、本実施形態の比較例における発振回路の構成例を示す。
【００７９】
図６において図２と同一部分には同一符号を付し、適宜説明を省略する。
【００８０】
図６の発振回路１００では、本実施形態における発振回路１０のゲイン制御回路３０に置き換えてゲイン制御回路１１０が設けられている。ゲイン制御回路１１０は、ゲイン制御回路３０に対して発振起動過程判別回路３２及び切替回路３８が省略された構成を有している。従って、ゲイン制御回路１１０は、発振ループ内の電圧Ｖ２を直流化した電圧Ｖ３と予め決められた第１の基準電圧（基準信号）Ｖｒｅｆ１との差分に応じて制御電圧Ｖｃを生成する。そして、該制御電圧Ｖｃが、そのままゲインコントロールアンプ２０のゲインの調整に用いられる。
【００８１】
ここで、上述のような振動子と該振動子を駆動する回路とを含む発振ループの発振条件を考える。
【００８２】
図７に、発振ループを形成する発振回路の一般的な構成を示す。
【００８３】
発振回路は、発振ループ内の位相を変化させる位相変化部９５０と、発振ループ内のゲインを変化させるゲイン変化部９６０とを含むことができる。位相変化部９５０による発振ループ内の位相θの変化は、主に共振子、位相調整回路６０、ゲイン変化部９６０の位相（（正）反転・非反転）に起因する。ゲイン変化部９６０による発振ループ内のゲインＡの変化は、主にアンプや共振子に起因する。このような発振回路において発振状態が安定するための発振条件は、次の振幅条件及び位相条件を満たす必要がある。
【００８４】
まず、振幅条件は、発振ループ内の共振子４０から見た発振回路側の抵抗値に相当する負性抵抗値をＲＮ、該発振ループ内の負荷共振抵抗値をＲＬとすると、次式が成立しなければならない。
【００８５】
｜ＲＮ／ＲＬ｜＝ｍ＝１                    ・・・（５）
また、位相条件は、図７の位相変化部９５０により変化する位相θに対して、次式が成立しなければならない。
【００８６】
θ＝２π・ｎ  （ｎは０を含む整数）      ・・・（６）
そこで、図６に示す発振回路１００のｍは、次のように求められる。
【００８７】
ここで、ゲインコントロールアンプ２０の入力振幅をＶ２、定常発振状態におけるゲインコントロールアンプ２０の入力振幅をＶ２０とする。また、制御電圧をＶｃ、定常発振状態における制御電圧をＶｃ０とする。更に、ゲインコントロールアンプ２０のゲインをｋ、定常発振状態におけるゲインコントロールアンプ２０のゲインをｋ０とする。
【００８８】
図６に示す通り、関数ｆ、ｇを用いて、制御電圧Ｖｃ及びゲインｋは、次式で表される。
【００８９】
Ｖｃ＝ｆ（Ｖ２）      ・・・（７）
ｋ＝ｇ（Ｖｃ）        ・・・（８）
ここで、比ＰＶ２、ＰＶｃ、Ｐｋを次のように定義する。
【００９０】
ＰＶ２＝Ｖ２／Ｖ２０      ・・・（９）
ＰＶｃ＝Ｖｃ／Ｖｃ０      ・・・（１０）
Ｐｋ＝ｋ／ｋ０            ・・・（１１）
発振振幅を一定に制御するためには、次の関係式が成り立つ必要がある。
【００９１】
ＰＶ２・Ｐｋ＝ＰＶｃ・Ｐｋ＝１  ・・・（１２）
従って、発振振幅を一定に制御する場合、ゲインコントロールアンプ２０について、制御電圧Ｖｃに対するゲインｋの変化を示すＶｃ−ｋ特性は、いわゆる１／ｘ特性を示す。しかしながら、ゲインコントロールアンプ２０のＶｃ−ｋ特性は、通常、線形性を有する。よって（８）式は１次関数である。
【００９２】
そこで、定常発振状態である（Ｐｋ，ＰＶｃ）＝（１，１）の付近で発振が安定していることが重要であるため、ゲインコントロールアンプ２０のＶｃ−ｋ特性は、（１２）式において（Ｐｋ，ＰＶｃ）＝（１，１）を通るように設定される。即ち、ゲインコントロールアンプ２０のＶｃ−ｋ特性は、ＰＶｃ・Ｐｋ＝１で示される理想特性の（１，１）を通る導関数として設定される。
【００９３】
従って、次の式が成り立つ。
【００９４】
（Ｐｋ−１）＝−ＰＶｃ´（１）×（ＰＶｃ−１）      ・・・（１３）
Ｐｋ＝−ＰＶｃ＋２        ・・・（１４）
図８に、比較例におけるＶｃ−ｋ特性の一例を示す。
【００９５】
図８では、（１２）式に示す理想特性を波線で示し、ゲインコントロールアンプ２０のＶｃ−ｋ特性を実線で示す。
【００９６】
発振起動時には電圧Ｖ２＝０であるため、制御電圧Ｖｃ＝０である。従って、発振起動時には、図８に示すようにＰＶｃ＝０のとき、Ｐｋ＝２である。そのため、定常発振時のループゲインに対して最大何倍のループゲインが得られるかという値である発振余裕度は、ｍ（＝｜ＲＮ／ＲＬ｜）の最大値Ｍであり、図８に示すように「２」である。なお、定常発振時には、ｍは１である。
【００９７】
ところで、振動周波数が安定する水晶振動子は、Ｑ値が高い。従って、発振回路の振動子として水晶振動子を用いた場合、発振回路の起動時（発振起動時）に発振ループ内のゲインを十分大きくする必要がある。その場合、発振の定常状態において所定の振幅制御を行うと共に発振起動時において十分大きな振幅となるように振幅制御を行う理想的なゲイン感度特性を有するゲインコントロールアンプの設計は困難である。
【００９８】
そこで、上述のようにゲインコントロールアンプ２０のゲインコントロールアンプのＶｃ−ｋ特性を設定して、定常発振状態のみならず発振起動過程においても、安定した振幅制御を行う必要がある。ところが、比較例における発振回路は、上述のように、ｍ≦２である。
【００９９】
しかしながら、経験則から、Ｍが２以下の場合には、しばしば発振不具合が起こる。また、Ｍが３程度の場合には、量産時に１パーセント以下の発振不具合が起こり、Ｍが５程度以上であることが望ましい。
【０１００】
そこで、本実施形態では、次のようにして定電圧Ｖｃを決定している。
【０１０１】
図９に、本実施形態におけるＶｃ−ｋ特性の一例を示す。
【０１０２】
上述のように、比較例における発振回路では、発振起動の不具合が発生する可能性が多少残り、Ｍが５以上であることが望ましい。そのため、本実施形態では、発振定常状態か発振起動過程かを判別し、発振起動過程と判別されたとき、ＰｋがＭ以上となるように制御電圧Ｖｃを定電圧Ｖｃｓに切り替える。これにより、発振起動過程において、発振ループ内のゲインを上げることができる。ここで、Ｍが５とすると、図９に示す式からＰＶｃ＝−３．０である。即ち、Ｖｃ＝−３．０×Ｖｃ０となり、このＶｃの値が定電圧Ｖｃｓの値となる。
【０１０３】
即ち、Ｐｋ＝Ｍとし、（１４）式を展開すると、Ｍに応じて次式のように定電圧Ｖｃｓの値を決める。
【０１０４】
Ｖｃｓ＝Ｖｃ０×（２−Ｍ）      ・・・（１５）
従って、発振回路１０において、発振の起動過程において、（１５）式で求められる定電圧Ｖｃｓで発振ループ内のゲインを上げるようにし、発振の定常状態では、通常の発振制御を行うことで、簡素な構成で、発振ループ内の振幅制御を高精度で実現しながら、発振の起動時間を短縮できるようになる。
【０１０５】
なお、本実施形態におけるゲインコントロールアンプ２０は、負の線形特性であっても正の線形特性であってもよい。この場合、ゲインコントロールアンプ２０の線形特性が正であるか負であるかに応じてゲイン制御回路３０に含まれる差動アンプ３６の位相を反転し、発振の位相条件を満足させることができる。また、本実施形態において、位相調整回路６０を発振ループ内の任意の位置に挿入してもよい。また、この電流電圧変換器５０の位相調整機能を、発振ループ内の任意の回路ブロックに持たせてもよい。
【０１０６】
２．  物理量トランスデューサ
次に、本実施形態の発振回路の適用例として、物理量トランスデューサについて説明する。
【０１０７】
図１０に、本実施形態における物理量トランスデューサの構成例のブロック図を示す。
【０１０８】
物理量トランスデューサ２００は、外的要因により変化した物理量を出力することができる。このような物理量トランスデューサ２００は、共振子２１０と、発振駆動回路２２０と、物理量出力回路２３０とを含む。共振子２１０と発振駆動回路２２０の機能は、図２の発振回路１０により実現できる。即ち、共振子２１０と発振駆動回路２２０とにより定常発振状態に維持したまま、物理量出力回路２３０は、共振子２１０と容量的、誘導的又は機械的にカップリングさせた状態で、外的作用によって変化する物理量を出力する。
【０１０９】
２．１  振動ジャイロセンサ
次に、本実施形態における物理量トランスデューサの一例として、振動ジャイロセンサについて説明する。
【０１１０】
図１１に、本実施形態における振動ジャイロセンサの構成例のブロック図を示す。
【０１１１】
振動ジャイロセンサ３００は、所与の検出軸を中心とする回転による角速度を検出する。より具体的には、振動ジャイロセンサ３００は、該回転により発生するコリオリ力に比例する電荷量を発生させ、該電荷量に対応したセンサ検出信号を出力することができる。
【０１１２】
振動ジャイロセンサ３００は、振動子３１０、発振駆動回路３２０、位相シフタ３３０、コンパレータ３４０、差動アンプ３５０、同期検波器３６０、ＬＰＦ３７０、出力アンプ３８０を含む。
【０１１３】
振動子３１０は、圧電材料として水晶が用いられた水晶振動子であり、駆動端子Ａ１、Ａ２、検出端子Ｂ１、Ｂ２を有する。このような振動子３１０は、図１３に示す振動ジャイロセンサの振動子を適用できる。従って、振動子３１０の駆動端子Ａ１には、発振駆動回路３２０からの駆動信号ｄｒｖが入力され、振動子３１０の駆動端子Ａ２からフィードバック信号ｆｂが出力され、該フィードバック信号ｆｂは発振駆動回路３２０に入力される。即ち、振動子３１０の駆動端子Ａ１、Ａ２に接続される共振子と発振駆動回路３２０により発振回路４００が構成される。
【０１１４】
発振駆動回路３２０の機能は、図２のゲインコントロールアンプ２０、ゲイン制御回路３０、電流電圧変換器５０、位相調整回路６０により実現される。なお、発振駆動回路３２０の機能は、図２のゲインコントロールアンプ２０、ゲイン制御回路３０、電流電圧変換器５０のみで実現してもよい。従って、発振回路４００の機能は、図２の発振回路により実現される。
【０１１５】
発振駆動回路３２０の出力は、位相シフタ３３０に接続される。位相シフタ３３０は、入力信号の位相をシフトさせる。これは、後述する同期信号ｓｙｎｃと同期検波入力信号ｓｙｎｃｉｎとの位相を合わせるためである。
【０１１６】
位相シフタ３３０の出力は、コンパレータ３４０に接続される。コンパレータ３４０は、位相シフタ３３０によって位相がシフトされた信号を２値化し、同期信号ｓｙｎｃとして同期検波器３６０に出力する。例えば正弦波である位相シフタ３３０の出力が、コンパレータ３４０により矩形波に変換される。
【０１１７】
振動子３１０の検出端子Ｂ１、Ｂ２からは、それぞれ検出信号ｄｅｔ１、ｄｅｔ２が出力される。図１３に示すような構成のため、検出信号ｄｅｔ１、ｄｅｔ２は互いに位相が反転している。このような検出信号ｄｅｔ１、ｄｅｔ２は、差動アンプ３５０によって差動増幅されて、同期検波入力信号ｓｙｎｃｉｎとして出力される。
【０１１８】
同期検波器３６０は、同期検波入力信号ｓｙｎｃｉｎを同期信号ｓｙｎｃで同期化し、同期検波出力信号ｓｙｎｃｏｕｔを出力する。
【０１１９】
ＬＰＦ３７０は、同期検波出力信号ｓｙｎｃｏｕｔの高周波成分を遮断する。ＬＰＦ３７０の出力が、出力アンプ３８０により増幅され、センサ検出信号として出力される。
【０１２０】
図１２に、図１１の振動ジャイロセンサ３００の各部の動作波形の一例を示す。
【０１２１】
フィードバック信号ｆｂを受けた発振駆動回路３２０が正弦波である駆動信号ｄｒｖを出力した場合、位相シフタ３３０によって位相がシフトされた後、コンパレータ３４０によって矩形波である同期信号ｓｙｎｃが出力される。
【０１２２】
一方、振動子３１０の検出端子Ｂ１からの検出信号ｄｅｔ１又は検出端子Ｂ２からの検出信号ｄｅｔ２は、コリオリ力Ｆｃの大きさに応じて振幅変調される。従って、検出信号ｄｅｔ１、ｄｅｔ２を差動増幅した同期検波入力信号ｓｙｎｃｉｎは、コリオリ力Ｆｃの振幅により振幅変調された正弦波として検出される。
【０１２３】
同期検波器３６０では、同期検波入力信号ｓｙｎｃｉｎと同期信号ｓｙｎｃとを掛け合わせることで、図１２に示すような同期検波出力信号ｓｙｎｃｏｕｔが出力される。そこで、ＬＰＦ３７０により、同期検波出力信号ｓｙｎｃｏｕｔの包絡線の周波数成分を通過させることで、図１２に示すセンサ検出信号を出力させることができる。
【０１２４】
なお、本発明は上述した実施の形態に限定されるものではなく、本発明の要旨の範囲内で種々の変形実施が可能である。
【０１２５】
また本実施形態では、水晶振動子を例に説明したが、これに限定されるものではなく、圧電材料として水晶以外のものであってもよい。また、振動子の構造は、音叉型に限定されるものではない。更に、発振回路を構成する各回路は、本実施形態で説明したものに限定されるものではない。
【０１２６】
また、本発明のうち従属請求項に係る発明においては、従属先の請求項の構成要件の一部を省略する構成とすることもできる。また、本発明の１の独立請求項に係る発明の要部を、他の独立請求項に従属させることもできる。
【図面の簡単な説明】
【０１２７】
【図１】本実施形態の発振回路の原理的な構成を示す図。
【図２】図１の発振回路の構成例の回路図。
【図３】図２の電流電圧変換器の構成例の回路図。
【図４】図２のゲインコントロールアンプの構成例の回路図。
【図５】図２の全波整流回路の構成例の回路図。
【図６】本実施形態の比較例における発振回路の構成例を示す図。
【図７】発振ループを形成する発振回路の一般的な構成を示す図。
【図８】比較例におけるＶｃ−ｋ特性の一例を示す図。
【図９】本実施形態におけるＶｃ−ｋ特性の一例を示す図。
【図１０】本実施形態における物理量トランスデューサの構成例のブロック図。
【図１１】振動ジャイロセンサの構成例のブロック図。
【図１２】図１１の振動ジャイロセンサの各部の動作波形の一例を示す図。
【図１３】振動ジャイロの振動子の構造を模式的に示す図。
【図１４】図１３の検出軸を上から見た図を模式的に示す図。
【図１５】発振ループ内のゲインを制御するアンプの一般的な入出力特性を示す図。
【符号の説明】
【０１２８】
１０、１００、４００  発振回路、  ２０  ゲインコントロールアンプ、
３０、１１０  ゲイン制御回路、  ３２  発振起動過程判別回路、
３４  全波整流回路、  ３５  ＬＰＦ、  ３６  差動アンプ、  ３８  切替回路、
４０、２１０  共振子、  ５０  電流電圧変換器、  ６０  位相調整回路、
９６  演算増幅器、  ２００  物理量トランスデューサ、
２２０、３２０  発振駆動回路、  ２３０  物理量出力回路、
３００  振動ジャイロセンサ、  ３１０  振動子、  ３３０  位相シフタ、
３４０  コンパレータ、  ３５０  差動アンプ、  ３６０  同期検波器、
３７０  ＬＰＦ、  ３８０  出力アンプ、  ＡＧＮＤ  基準電源電圧、
Ｖｃ  制御電圧、  Ｖｃｓ  定電圧、  Ｖｒｅｆ１  第１の基準電圧、
Ｖｒｅｆ２  第２の基準電圧、  Ｖ２  出力電圧、  ｄｅｔ１、ｄｅｔ２  検出信号、
ｄｒｖ  駆動信号、  ｆｂ  フィードバック信号、  ｓｙｎｃ  同期信号、
ｓｙｎｃｉｎ  同期検波入力信号、  ｓｙｎｃｏｕｔ  同期検波出力信号
【図１】
2007218793.tif 000003
【図２】
2007218793.tif 000004
【図３】
2007218793.tif 000005
【図４】
2007218793.tif 000006
【図５】
2007218793.tif 000007
【図６】
2007218793.tif 000008
【図７】
2007218793.tif 000009
【図８】
2007218793.tif 000010
【図９】
2007218793.tif 000011
【図１０】
2007218793.tif 000012
【図１１】
2007218793.tif 000013
【図１２】
2007218793.tif 000014
【図１３】
2007218793.tif 000015
【図１４】
2007218793.tif 000016
【図１５】
2007218793.tif 000017